(57)【要約】  【課題】  カメラつき携帯電話装置において、カメラから発生する高調波成分と無線通信を行う受信周波数帯との干渉を低減することが可能なカメラつき携帯電話装置を提供する。  【解決手段】  外部装置と無線通信を行う無線通信回路２０と、出力するクロックの周波数を制御可能なクロック発生回路７０と、前記クロックを動作クロックとして動作するカメラ８０と、制御回路３０を備え、該制御回路は、前記無線通信回路から入手した受信周波数帯情報に基づき、前記クロック発生回路の前記クロックを、該クロックの周波数の高調波成分が前記無線通信を行う受信周波数帯に重ならないように制御することを特徴とする。【選択図】  図１
2005328425.tif 000002
【特許請求の範囲】
【請求項１】
外部装置と無線通信を行う無線通信回路と、出力するクロックの周波数を制御可能なクロック発生回路と、前記クロックを動作クロックとして動作するカメラと、制御回路を備え、該制御回路は、前記無線通信回路から入手した受信周波数帯情報に基づき、前記クロック発生回路の前記クロックを、該クロックの周波数の高調波成分が前記無線通信を行う受信周波数帯に重ならないように制御することを特徴とするカメラつき携帯電話装置。
【請求項２】
請求項１記載のカメラつき携帯電話装置において、前記受信周波数帯情報は、前記無線通信回路が無線通信を行うチャネルの情報であることを特徴とするカメラつき携帯電話装置。
【請求項３】
請求項２記載のカメラつき携帯電話装置において、前記無線通信を行うチャネルに対する、前記動作クロックの周波数を決めるための設定値がテーブルとして格納されているメモリ部を備え、前記制御回路は、前記無線通信回路からの前記チャネルの情報に基づき、前記メモリ部の前記テーブルから前記動作クロックの周波数を決めるための設定値を求めて、前記クロック発生回路の前記クロックを制御することを特徴とするカメラつき携帯電話装置。
【請求項４】
請求項１から３のうちいずれかに記載のカメラつき携帯電話装置において、前記クロック発生回路は、基準クロックを発生する基準クロック発生回路と、前記基準クロックを基に前記カメラの前記動作クロック用の前記クロックを出力する周波数制御回路とで構成されることを特徴とするカメラつき携帯電話装置。
【発明の詳細な説明】
【技術分野】
【０００１】
本発明は、カメラつき携帯電話装置に係り、携帯電話装置が無線通信を行う受信周波数帯に対する、カメラの動作クロックの技術に関する。
【背景技術】
【０００２】
携帯電話装置には、無線通信を行う無線回路のほかに、システム全体の制御を行う制御用ＣＰＵ（Ｃｅｎｔｒａｌ  Ｐｒｏｃｅｓｓｉｎｇ  Ｕｎｉｔ）を備えた制御回路が設けられている。近年、ゲーム機能やメール機能等の高機能化に対応するため携帯電話装置に搭載されている制御用ＣＰＵの処理速度が高速化している。それにともなって制御用ＣＰＵを動作させているクロック周波数が高速化している。
【０００３】
制御用ＣＰＵに入力されるクロック信号や、クロック信号に同期して出力されるデジタル信号は矩形波をしており、出力周波数の２倍、３倍、４倍、…の高調波成分を含んでおり、高調波成分はｎ倍のｎが高次になるほど輻射エネルギーが小さくなる特性を持っている。この高調波成分は、携帯電話装置の無線通信に対して、輻射ノイズとして影響を与えている。
【０００４】
さらに、近年は携帯電話装置の小型化が進んでおり、制御用ＣＰＵなどの制御回路と、携帯電話装置本来の機能である無線通信を行う無線通信回路は一体化された基板上、もしくは近接して配置されるようになっている。その為、無線通信回路は、制御用ＣＰＵのクロックの高調波成分の輻射ノイズの影響をますます受けやすくなってきている。クロックの高調波成分が無線通信用周波数帯と一致した場合、著しい受信感度劣化等、無線通信に悪影響を与えるという問題が発生する。
【０００５】
一方、携帯電話装置の無線通信に使われる周波数は、複数のチャネルと呼ばれる周波数帯で構成されており、携帯電話装置の位置や無線通信の状況により、無線基地局からの指示によって使用するチャネルを随時切り替えて無線通信を行っている。そのため、無線通信に高調波成分の輻射ノイズが影響を与えないようにする為には、使用するチャネルに高調波成分が干渉しないように設計する必要がある。
【０００６】
例えば、ＣＤＭＡ（Ｃｏｄｅ  Ｄｉｖｉｓｉｏｎ  Ｍｕｌｔｉｐｌｅ  Ａｃｃｅｓｓ）方式で使用されているＡＲＩＢ  ＳＴＤ−Ｔ５３，Ｂａｎｄ  Ｃｌａｓｓ（ＪＴＡＣＳ  Ｂａｎｄ）を使用した携帯電話装置の場合、受信用の周波数帯は８３２．０１２５ＭＨｚから８６９．９８７５ＭＨｚの周波数帯である。また携帯電話装置において制御用ＣＰＵのクロックの周波数としては２０ＭＨｚ程度が使用されている。この場合、２０ＭＨｚの高調波成分の４２倍が８４０ＭＨｚ、４３倍が８６０ＭＨｚとなり、受信用の周波数帯と重なり干渉を与える事になる。
【０００７】
上記のようなクロックの周波数の高調波成分による干渉の問題を対策する従来技術としては、ノイズ源を金属ケースで覆い、電気的にシールドする手法が取られている。
【０００８】
この技術によれば、液晶表示装置と回路基板を内蔵する携帯型電子機器（テレビやコンピュータ）において、ノイズのシールド材として、導電性のメッキを施した成型部材を液晶表示装置と回路基板との間に配置することにより、回路基板から発生する高調波成分の輻射ノイズを軽減することができる（例えば、特許文献１参照）。
【０００９】
また別の従来技術として、制御用ＣＰＵのクロックの高調波成分が無線通信に使用する無線通信チャネルと干渉しないように、無線通信チャネルの周波数帯に応じて機器の動作クロックの周波数を変更して無線通信でのノイズを低減する技術がある。
【００１０】
この技術によれば、複数の通信チャネルを有し、記憶装置とクロック信号発生手段とクロック信号で動作する制御部を具備した携帯電話機において、通信チャネル情報に基づき記憶部に予め記憶しておいた通信チャンネルと干渉しないクロック周波数へ変更するための設定値によりクロック信号の周波数を調整する事により、動作クロックの高調波成分が通信チャンネルの周波数帯に重ならないようにし、干渉を防止している（例えば、特許文献２参照）。
【００１１】
近年、携帯電話装置市場においてカメラつき携帯電話装置が売上を伸ばしている。このようなカメラつき携帯電話装置は、場所を選ばず撮影した画像を、その場で電子メール等により、受信者に送信できる事から人気が出ている。
【００１２】
さらに最近では、高画素化の要求が強く、１Ｍピクセル、２Ｍピクセルといった高画素カメラを搭載した携帯電話が発売されている。
【００１３】
加えてユーザーからは、画像のモニタリング時や、動画撮影時に滑らかな映像の要求がある。滑らかな映像を実現するためには、一定時間内にカメラが出力する画像の枚数をより多くする（高フレームレート化）必要がある。
【００１４】
前記カメラの高画素化と高フレームレート化は、カメラから出力される画像のデータレートの増大及びカメラの動作クロックの高速化を招いている。特に、カメラの動作クロックの周波数を制御回路のクロック周波数より高く設定するものが現れている。
【００１５】
ところで、携帯電話装置に使用されるカメラの撮像素子としては、感度、Ｓ／Ｎ比がよい事、高画素化が容易な事からＣＣＤ（Ｃｈａｒｇｅ  ｃｏｕｐｌｅｄ  ｄｅｖｉｃｅ）が使用されることが多くなっている。
【００１６】
ＣＣＤとは、電荷を一塊の信号として、外部からの動作クロックパルスに同期した速度で順序良く移動させる事が出来る電荷転送素子であり、電荷転送時に＋１５Ｖ、−７．５Ｖ程度の電圧が必要となり、ＣＣＤカメラを駆動する垂直転送パルスや信号読み出しパルスとして電位差＋１５Ｖ、−７．５Ｖ、２２．５Ｖ程度のパルスが動作クロックに同期して発生している。
【００１７】
それに対して、携帯電話装置の制御回路で使用されている電圧は、３Ｖや１．８Ｖ程度であり、カメラからの高調波成分の輻射エネルギーは制御回路からの高調波成分の輻射エネルギーの５倍程度大きいものとなる。そのため、カメラつき携帯電話装置でのカメラの動作クロックの高速化にともない、高調波成分の輻射ノイズによる干渉の問題が顕著化するので、対策は急務である。
【００１８】
ここで、高調波成分の輻射ノイズが無線通信の受信チャネルに干渉する様子を図３に示す。カメラの動作クロック周波数はｆｃであり、その高調波が２ｆｃ、３ｆｃ、…と続いている。ここでは、受信帯域は８３２．０１２５ＭＨｚから８６９．９８７５ＭＨｚ、ｆｃ＝３２ＭＨｚとして説明する。図３より、カメラの動作周波数ｆｃ＝３２ＭＨｚの２７倍波である８６４ＭＨｚが受信帯域に干渉していることがわかる。
【００１９】
さらに、図４に従来の無線通信で使用している受信帯域の拡大図を示す。ここでは、この受信帯域にはチャネルＡからチャネルＦまでの複数の受信チャネルを持っており、それぞれのチャネル幅は約１．２ＭＨｚとして説明する。
【００２０】
携帯電話装置の無線通信は、あらかじめ通信事業者により定められている複数のチャネル（ここではＡからＦ）の内、無線通信の状況により、無線基地局からの指示によって１つのチャネルを使用して無線通信が行われる。そのため、無線基地局からの指示によりチャンネルＤを使用している場合は、チャネルＤと、カメラの動作周波数ｆｃ＝３２ＭＨｚの２７倍高調波である８６４ＭＨｚとが重なり、高調波成分の輻射ノイズの干渉を受け、受信感度の劣化等の問題が発生する。
【００２１】
また、ＣＣＤカメラは、ＣＣＤセンサとレンズにより構成されたモジュール構造がとられており、焦点距離が必要であるため、一定の高さが必要となる。例えば、１／４インチ  １．３Ｍピクセル程度のＣＣＤセンサの場合１０ｍｍ程度の高さが必要である。
【００２２】
携帯電話装置の薄型化の傾向から、回路基板上には搭載せず、フレキシブルサーキット（以下フレキ）を介して、回路基板に接続される構造となっている。この場合、ＣＣＤカメラを駆動するクロックの高調波成分の輻射ノイズがフレキから放出され、より無線通信に与える影響は大きくなる。
【００２３】
【特許文献１】特開平６−３０１４４８号公報
【００２４】
【特許文献２】特開平７−３０３０７９号公報
【発明の開示】
【発明が解決しようとする課題】
【００２５】
しかしながら、上記特許文献１記載の従来技術である電気的にシールドする方法では、カメラのモジュールやフレキにまでシールドする必要があり、シールドケースが小型、軽量ができない。さらに、シールドケースの分コストアップするので、携帯電話装置には不適である。
【００２６】
一方、上記特許文献２載のクロック周波数を選択する技術では、制御用ＣＰＵなどの制御回路のクロック周波数を変更するものであり、カメラの動作クロック周波数に関してはふれていないので、カメラつき携帯電話装置とした場合、輻射エネルギーの大きなカメラから発生する高調波成分の輻射ノイズに対しては干渉を低減できないという課題がある。
【００２７】
本発明の目的は、カメラつき携帯電話装置において、カメラから発生する高調波成分と無線通信を行う受信周波数帯との干渉を低減することが可能なカメラつき携帯電話装置を提供することにある。
【課題を解決するための手段】
【００２８】
上記問題を解決するため、本発明は、外部装置と無線通信を行う無線通信回路と、出力するクロックの周波数を制御可能なクロック発生回路と、前記クロックを動作クロックとして動作するカメラと、制御回路を備え、該制御回路は、前記無線通信回路から入手した受信周波数帯情報に基づき、前記クロック発生回路の前記クロックを、該クロックの周波数の高調波成分が前記無線通信を行う受信周波数帯に重ならないように制御することを特徴とする。
【００２９】
これにより、カメラが輻射エネルギーの大きなカメラであってもそのカメラからの高調波成分の周波数を受信帯域と重ならない周波数になるようにカメラの動作クロックの周波数を決定できるので、高画素、高フレームレートのカメラ搭載時の無線通信を行う受信周波数帯との干渉を低減するとともに、小型軽量で安価なカメラつき携帯電話装置を提供できる。
【００３０】
さらに、前記受信周波数帯情報は、前記無線通信回路が無線通信を行うチャネルの情報であることを特徴とする。
【００３１】
これにより、制御回路は、無線通信を行うチャネルの情報に基づき、クロック発生回路のクロックを、該クロックの周波数の高調波成分が無線通信を行うチャネルに重ならないように制御するため、カメラの動作クロックの周波数の変更量が少なくてすみ、動作クロック変更による画質への影響を低減することができる。
【００３２】
さらに、前記無線通信を行うチャネルに対する、前記動作クロックの周波数を決めるための設定値がテーブルとして格納されているメモリ部を備え、前記制御回路は、前記無線通信回路からの前記チャネルの情報に基づき、前記メモリ部の前記テーブルから前記動作クロックの周波数を決めるための設定値を求めて、前記クロック発生回路の前記クロックを制御することを特徴とする。
【００３３】
これにより、あらかじめ記憶してあるテーブルの設定値を基に、カメラの動作クロック周波数を変更すればよいので、制御回路の処理の負担が少なく即応性が向上する。
【００３４】
さらに、前記クロック発生回路は、基準クロックを発生する基準クロック発生回路と、前記基準クロックを基に前記カメラの前記動作クロック用の前記クロックを出力する周波数制御回路とで構成されることを特徴とする。
【００３５】
これにより、制御回路の基準クロックは変更せず、カメラの動作クロックの周波数のみ変更できるので、基準クロックで動作している回路への影響が回避できる。
【発明の効果】
【００３６】
本発明によれば、カメラつき携帯電話装置において、カメラから発生する高調波成分と無線通信を行う受信周波数帯との干渉を低減することが可能なカメラつき携帯電話装置を得ることができる。
【発明を実施するための最良の形態】
【００３７】
以下、本発明の実施の形態について図面を用いて詳細に説明する。
【００３８】
図１は、本発明の実施の形態のカメラつき携帯電話装置のブロック図である。本携帯電話装置は、アンテナ１０とそれにつながる無線通信回路２０を備えている。無線通信回路２０は、無線通信に必要なデジタル信号の符合化／復号化回路と、変復調回路と、通信用電波送信回路と、受信用検波回路を備えており、本携帯電話装置の無線通信を行う事ができる。
【００３９】
本携帯電話装置は、携帯電話としての様々な機能を制御するＣＰＵ３０を備えている。ＣＰＵ３０は、無線通信回路２０を制御し、無線通信回路２０と送受信用のデータをやり取りする。そのため、無線通信回路２０の受信周波数や受信チャネルなどの各種動作情報を受け取り制御する事ができる。
【００４０】
ＣＰＵ３０には、表示部４０と、メモリ部５０と、キー入力部６０とカメラ９０が接続されており、携帯電話装置としての各種機能や、カメラ８０から出力される静止画や動画をメモリ部５０に保存及び、表示部４０へ表示する等の携帯電話装置としてのカメラ機能を行う事ができる。また、使用者はキー入力部６０を介して、本携帯電話装置に様々な入力を行う事ができる。
【００４１】
ＣＰＵ３０には、クロック発生回路７０が接続されている。クロック発生回路７０は基準クロック発生回路部７１と周波数制御回路７２とで構成されている。
【００４２】
基準クロック発生回路部７１は、水晶発信器もしくはセラミック発振器で構成されており、ＣＰＵ３０を動作させるための基準クロックを発生する。ＣＰＵ３０は、この基準クロックのタイミングで動作し、送信データを無線通信回路２０に出力し、無線通信回路２０から、受信データや受信周波数等の各種動作状態を受け取る事ができる。
【００４３】
また、基準クロック発生回路７１は、無線通信回路２０にも接続されており、無線通信に使用される送受信周波数の基準クロックとして使用している。
【００４４】
カメラ８０への動作クロックの供給は、ＣＰＵ３０と基準クロック発生回路７１に接続された周波数制御回路７２を介して行われる。
【００４５】
周波数制御回路７２の構成を図２を用いて説明する。周波数制御回路部７２は、ＰＬＬ回路であり、１／Ｒ分周器７２１と、位相比較器（ＰＤ）７２２と、電圧制御発振回路（ＶＣＯ）７２３と、１／Ｎ可変分周器７２４から構成されている。
【００４６】
基準クロック発生回路部７１からの基準クロックの周波数ｆｒは、１／Ｒ分周器７２１に入力され、１／Ｒ分周器７２１で、入力された基準クロックの周波数ｆｒが分周され、ｆｒ／Ｒとして出力され、位相比較器７２２の比較入力に入力される。
【００４７】
また、周波数制御回路７２の出力クロックの周波数ｆｏｕｔは、電圧制御発振回路７２３からの出力が出力されるとともに、１／Ｎ可変分周器７２４に入力される。１／Ｎ可変分周器７２４では、ＣＰＵ３０からの分周比設定信号が入力されており、周波数制御回路７２の出力クロックの周波数ｆｏｕｔは、分周比設定信号により設定された分周比Ｎにてｆｏｕｔ／Ｎに分周され、ループをなして、位相比較器７２２のもう片方の比較入力に入力される。
【００４８】
位相比較器７２２は、基準クロックの周波数ｆｒを分周した周波数ｆｒ／Ｒと、ＣＰＵ３０にて設定される分周比で出力クロックを分周した周波数ｆｏｕｔ／Ｎとを比較し、その位相差を電圧として出力する。
【００４９】
電圧制御発振回路７２３は、位相比較器７２２の出力電圧に基づいて出力周波数ｆｏｕｔを決定し、出力する。このループにより、ｆｒ／Ｒとｆｏｕｔ／Ｎは常に同じ周波数となるように制御される仕組みである。つまり、周波数制御回路７２の出力クロックの出力周波数ｆｏｕｔは、ＣＰＵ３０からの分周比設定信号により、ｆｒ／Ｒ単位で制御する事が可能であり、Ｒを大きくとる事で細かな出力周波数設定が可能である。
【００５０】
例えば、１／Ｒ分周器８１が８ｂｉｔ−２５６段階に、１／Ｎ分周器８４が１０ｂｉｔ−１０２４段階に分周できる機能をもっており、基準クロックの周波数が１０ＭＨｚの場合、基準クロックの１０ＭＨｚは１／Ｒ分周器７２１により０．０４ＭＨｚに分周される。ここで１／Ｎ分周器７２４の分周比設定を８００とすると、出力クロックの周波数ｆｏｕｔとして３２ＭＨｚが得られる。ここで分周比設定を８０１とすると３２．０４ＭＨｚ、８０２とすると３２．０８ＭＨｚとなる。
【００５１】
ここでは、周波数制御回路７２の構成としてＰＬＬの構成を示したが、周波数を制御できる回路であれば、電圧制御発振器のみの構成や、複数の発振器の出力をスイッチにより切り替える回路等でも構わない。
【００５２】
次に、本発明の実施の形態のカメラつき携帯電話装置において、カメラ８０の動作クロックの周波数を制御する手順を説明する。
【００５３】
先ず使用者は、キー入力部６０に設けられた電源投入ボタンにより電源投入の入力を行う。電源投入の入力はキー入力部６０を介してＣＰＵ３０により検出され、本携帯電話装置は動作状態に入る。動作状態に入ると無線通信回路２０は、あらかじめ無線基地局と決められた第１のチャネルにおいて無線基地局と通信を開始し、必要な情報のやり取りを行う。
【００５４】
その後、無線通信の状況によりあらかじめ決められている複数のチャネルのうち１つが無線基地局により選択され、無線基地局からの指示により、無線通信回路２０は第２のチャネルへ切り替えを行う。その後、無線基地局からの指示があるまで無線通信回路２０は、第２のチャネルにより通信を開始して無線基地局からの呼び出しを待つ。
【００５５】
この状態を待ち受け状態と呼び、無線通信は一定時間ごとに無線基地局と通信を行う間欠通信となる。さらに、携帯電話装置からの発信、もしくは無線基地局からの呼び出しがあり、通話・通信状態にした場合には、連続的に無線通信が行われる。
【００５６】
次にカメラ８０の起動であるが、カメラ８０の起動においても使用者からのキー入力部６０への入力において行われる。ＣＰＵ３０はメモリ部５０に格納されたプログラムにより、表示部４０に機能選択メニュー画面を表示する。
【００５７】
使用者はそのメニュー画面に従い、キー入力部６０を操作し、カメラ８０を起動する。尚、カメラ８０の起動はキー入力部６０にカメラ起動専用の入力スイッチ等があっても構わない。
【００５８】
無線通信中に、キー入力部６０を介して使用者からのカメラ起動入力を受け取ると、ＣＰＵ３０は無線通信回路２０から、現在受信している第２の受信チャネル情報を受け取る。受け取った第２の受信チャネル情報を基に、メモリ部５０に記憶している後述する周波数制御対応表（周波数テーブル）から分周比設定信号を読み出し、読み出した分周比設定信号により周波数制御回路７２を制御して、カメラ８０への動作クロックの周波数を高調波成分が第２の受信チャネルの受信周波数帯域に重ならない周波数として供給する。
【００５９】
尚、カメラ８０が動作していない間は、周波数制御回路７２はＣＰＵ３０の制御によりクロックの供給を停止しているため、クロックは供給されない。
【００６０】
ＣＰＵ３０は、カメラ８０へのクロック供給後、カメラ８０へカメラ起動制御やカメラの動作制御を行う。これによりカメラ８０は起動し、ＣＰＵ３０で設定された動作状態で、画像を出力する。ＣＰＵ３０は、使用者が選択するカメラ機能に応じて、メモリ部５０に記憶されたプログラムに従い、カメラ８０から出力された画像を、表示部４０に表示や、メモリ部５０に保存等の処理を行う。
【００６１】
また、カメラ８０が動作中に移動等の理由により無線基地局より受信チャネルの変更指示がされた場合、無線通信回路部２０は、無線基地局より次の第３の受信チャネルの情報を受け取ると、その第３の受信チャネルの情報をＣＰＵ３０へ出力し、受信チャネルを変更する。
【００６２】
ＣＰＵ３０は無線通信回路２０からの次の第３の受信チャネルの情報を受け取ると、メモリ部５０に記憶している後述する前記周波数制御対応表の分周比設定信号に基づき、周波数制御回路７２の１／Ｎ可変分周器７２４の設定を行い、カメラ８０への動作クロックの周波数を高調波成分が第３の受信チャネルの受信周波数帯域に重ならない周波数として供給する。
【００６３】
それにより、変更後の第３の受信チャネルにおいて、高調波成分の輻射ノイズの影響を受けない。尚、変更時、第３の受信チャネルではなくもう一度、第１のチャネルに戻る場合もあるが、このときにも、上記と同様の動作により、カメラ８０への動作クロックの周波数を高調波成分が第１の受信チャネルの受信周波数帯域に重ならない周波数として供給できる。
【００６４】
メモリ部５０には、図５に示すように、各受信チャネルに応じた周波数制御回路７２内の、１／Ｎ可変分周器７２４の設定値を示す周波数制御対応表が記憶されている。ＣＰＵ３０は無線通信回路２０から現在の受信チャネル情報を受け取ると、メモリ部５０から前記周波数制御対応表を読み出し、その情報から１／Ｎ可変分周器７２４の設定値を決定し、１／Ｎ可変分周器７２４の分周比を設定する。
【００６５】
尚、周波数制御対応表の設定値は、動作クロックの高調波成分が、受信チャネルの受信帯域に干渉しない周波数のうち、カメラの所望の動作周波数からの差分ができる限り小さくなる周波数を予め計算して、メモリ部５０に記憶させておく。
【００６６】
これは、無線通信回路２０の受信チャネルにより、カメラ８０への動作クロックの周波数が変化することにより、カメラ８０の画像出力のフレームレートや輝度が変化するため、変化量を小さくして画質の変化を少なくする事が重要だからである。
【００６７】
クロック周波数の変化が微小な場合は画質の変化は微小であり、ユーザーからはその変化が分からない。実験上クロック周波数が２％以下程度の変化であれば、人間の目には違いがわからない。
【００６８】
一例として、カメラの動作クロック３２ＭＨｚで１５ｆｐｓ（ｆｌａｍｅ  ｐｅｒ  ｓｅｃｏｎｄ）出力のカメラの場合を説明する。本携帯電話装置に使用されているＣＣＤカメラの場合、フレームレートは動作クロックにほぼ比例して増加・減少する。
【００６９】
通信に使用している現在の受信チャネルを中心周波数８６３．５ＭＨｚのチャネルＤとすると、８６２．９ＭＨｚから８６４．１ＭＨｚの周波数帯を使用しており、カメラの動作クロックの２７倍波が８６４ＭＨｚとなるので、受信チャネルＤの受信帯域内にあり干渉しているため、受信感度に悪影響が発生する。
【００７０】
ここで周波数制御回路７２の周波数可変の最小ステップを前記図２の説明時と同様０．０４ＭＨｚとすると、動作クロックを１ステップ高いほうにシフトするために設定値を８０１とした場合、動作クロックは３２．０４ＭＨｚ、２７倍波は８６５．０８ＭＨｚとなり、受信チャネルＤの受信帯域より外れるので、高調波成分の輻射ノイズの干渉は低減する。
【００７１】
それに対して、設定値を７９９と１ステップ低いほうにシフトした場合は、動作クロックは３１．９６ＭＨｚ、２７倍波は８６２．９２ＭＨｚとなり、受信チャネルＤの受信帯域内となるので、高調波成分の輻射ノイズによる干渉は発生したままとなる。
【００７２】
そのため、出来る限り所望のクロック周波数からの変化が少なく、受信チャネルに干渉しないクロック周波数は１ステップ高いほうにシフトした３２．０４ＭＨｚとなる。そのため、このクロック周波数を発生させる周波数制御回路７２の設定値を８０１として記憶させておき、受信チャネルＤが選択された場合は、動作クロックの周波数として３２．０４ＭＨｚを使用する。
【００７３】
尚、受チャネルＤ以外の受信チャネルＡ〜Ｃ及びＥ〜Ｆの受信帯域内には高調波成分はないため、設定値を８００とし、動作クロックは３２ＭＨｚとする。
【００７４】
また、ＣＣＤカメラの場合は、駆動するクロック周波数の上限が仕様により規定されている場合が多いため、３２ＭＨｚが上限の場合は、設定値を７９８とし２ステップ低いほうにシフトした３１．９２ＭＨｚとしてもよい。その場合、その２７倍波は８６１．８４ＭＨzであり、受信チャネルＤの受信帯域内には高調波成分はないため、干渉は低減する。
【００７５】
ここでは、カメラ８０の仕様上の上限が３２ＭＨｚであり、２ステップ低いほうにシフトした３１．９２ＭＨｚを採用したとすると、比例計算からフレームレートは１４．９６２５ｆｐｓとなる。この変化は０．３％程度であり前記の２％以内の微小な変化であるので、ユーザーは画像を見てその違いをほとんど認識できない。
【００７６】
ここでの第１のチャネルと第２のチャネル及び高調波成分について図６を用いて説明する。図６は、本発明の実施の形態の無線通信で使用している受信帯域の拡大図で、本発明の実施の形態による効果を説明する図である。
【００７７】
第１のチャネルとは、通信事業者によって規定された受信用チャネルＡからＦのうち、あらかじめ最初に通信するとして決められたチャネルである。この最初に通信するチャネルが第１のチャネルであり、図６中にチャネルＣ（プライマリーチャネル）で示している。
【００７８】
第２のチャネルは、無線基地局からの指示により切り替えられるチャネルであり、ＡからＦのチャネルのどれに切り替わるかは、携帯電話側では事前には分からないが、ここでは第２のチャネルとしてチャネルＤが選択した場合で説明する。
【００７９】
チャネルＤの受信帯域は８６２．９ＭＨｚから８６４．１ＭＨｚであり、動作クロックが３２ＭＨｚ時の２７倍の高調波８６４ＭＨｚ（点線部）は帯域内であるが、本発明の実施の形態により、動作クロックを３２．０４ＭＨｚとした場合には、２７倍の高調波成分は８６５．０８ＭＨｚとなり、チャネルＤの受信帯域から外れ、動作クロックの高調波成分の輻射ノイズの干渉は低減する。
【００８０】
尚、携帯電話装置の移動等の理由で第２の受信チャネルのカバーする領域を出る場合は、前記と同様に無線基地局からの指示により、あらかじめ決められている複数のチャネルのうち１つが選択され、無線通信回路２０は第３の受信チャネルへ切り替えを行う。その際、もう一度、第１のチャネルに戻る場合もある。
【００８１】
上記の周波数制御方法は、無線通信回路２０の無線状態が、待ち受け時、通話時、データ通信時に関わり無く、同様の方法で制御可能である。
【００８２】
本実施の形態によれば、カメラを動作させている高速の動作クロックの高調波成分の輻射ノイズが、無線通信へ悪影響を与える事をなくす事ができるため、携帯電話装置に高画素、高フレームレートのカメラを搭載する事が可能となる。さらに、高調波ノイズを防ぐ金属や、メッキ材のシールドケースが不要となるため、携帯電話装置の小型化、軽量化、コストダウンが可能となる。
【図面の簡単な説明】
【００８３】
【図１】本発明の実施の形態のカメラつき携帯電話装置のブロック図である。
【図２】図１の周波数制御回路部の内部構成を示す図である。
【図３】カメラの動作周波数の高調波成分の輻射ノイズが無線通信のチャネルに干渉する様子を示す図である。
【図４】従来の無線通信で使用している受信帯域の拡大図である。
【図５】本発明の実施の形態の携帯電話装置のメモリ部が記憶している周波数制御対応表を示す図である。
【図６】本発明の実施の形態の無線通信で使用している受信帯域の拡大図で、本発明の実施の形態による効果を説明する図である。
【符号の説明】
【００８４】
１０…アンテナ、２０…無線通信回路、３０…ＣＰＵ、４０…表示部、５０…メモリ部、６０…キー入力部、７０…クロック発生回路、７１…基準クロック発生回路、７２…周波数制御回路、７２１…１／Ｒ分周器、７２２…位相比較器、７２３…電圧制御発振回路、７２４…１／Ｎ可変分周器、８０…カメラ部。
【図１】
2005328425.tif 000003
【図２】
2005328425.tif 000004
【図３】
2005328425.tif 000005
【図４】
2005328425.tif 000006
【図５】
2005328425.tif 000007
【図６】
2005328425.tif 000008